(57)【要約】【課題】自動取引装置に設けられている異物返却部の内部を悪戯されるのを防止する機構を提供する。【解決手段】紙幣投入部３から落下してくる異物を返却可能に保持する異物返却部７は、異物返却路８と異物貯留部９を有し、返却口１４には回転自在な扉１５が設けられている。そして異物貯留部９を構成する下ガイド１３に仕切部材１８を設ける。仕切部材１８は、回転支点１９を中心に回転可能で、モータ２０により回転される。扉１５の先端部の近傍には検出センサ１７が設けられ、検出センサ１７が扉１５の開を検出するとモータ２０により仕切部材１８が回転し、異物返却路８より奥側を塞ぐ。【選択図】  図１
2007206767.tif 000002
【特許請求の範囲】
【請求項１】
貨幣投入部に接続され貨幣投入部から投入された異物を返却口から返却可能に保持する異物返却機構において、
前記返却口に回動可能に設けられた扉と、
前記貨幣投入部と前記返却口との間に回転可能に設けられ、前記扉が開けられた際に前記貨幣投入部と前記返却口との間を塞ぐ仕切部材とを具備したことを特徴とする異物返却機構。
【請求項２】
前記扉の開を検出する検出手段と、
前記検出手段が前記扉の開を検出することにより前記仕切部材を前記貨幣投入部と前記返却口との間を塞ぐ方向に回転させるアクチュエータとを設けた請求項１記載の異物返却機構。
【請求項３】
前記仕切部材を前記扉の開動作と連動して前記貨幣投入部と前記返却口との間を塞ぐ方向に回転させる連動手段を有する請求項１記載の異物返却機構。
【請求項４】
前記連動手段は、前記扉に形成されたポスト部材と、前記仕切部材に形成され長孔を有する接続部材とから成り、
前記ポスト部材が前記長孔に遊嵌することにより構成される請求項３記載の異物返却機構。
【請求項５】
前記連動手段は、前記扉に形成された突起と、前記仕切部材に形成され前記突起と係合する受け部とから構成される請求項３記載の異物返却機構。
【請求項６】
貨幣が投入される貨幣投入部と、該貨幣投入部に接続され貨幣投入部から投入された異物を返却口から返却可能に保持する異物返却部とを有する自動取引装置において、
前記返却口に回動可能に設けられた扉と、
前記貨幣投入部と前記返却口との間に回転可能に配設された仕切部材とを具備したことを特徴とする自動取引装置。
【請求項７】
前記仕切部材は、前記扉が開けられた際に前記貨幣投入部と前記返却口との間を塞ぐ方向に回転する請求項６記載の自動取引装置。
【発明の詳細な説明】
【技術分野】
【０００１】
本発明は、貨幣投入部に接続され貨幣投入部から投入された異物を返却口から返却可能に保持する異物返却機構およびこの異物返却機構を有する自動取引装置に関する。
【背景技術】
【０００２】
従来、金融機関等に設置されている自動取引装置には入金用の貨幣を受け入れるための貨幣投入部が設けられている。顧客はこの貨幣投入部から貨幣を投入して入金取引を行う。自動取引装置においては、紙幣の投入部と硬貨の投入部はそれぞれ別に設けられている。ところが時として入金紙幣の間に硬貨等の異物が紛れ込んでいることがあり、その場合に備えて異物のみを顧客に返却できる機構を具備した装置も開発されている。
【０００３】
異物を紙幣から分離する方法として、例えば自重落下を利用したり、あるいは紙幣に振動を加える方法が提案されている。また、紙幣から分離された異物が紙幣を搬送する搬送ベルトに噛み込まれないようにするために、搬送ガイドに突起を設けて硬貨等の異物をベルトに噛み込まれない位置に誘導することも、例えば特開平８−１２３９９４号公報に提案されている。
【０００４】
一般的には、紙幣投入部の下方にはスロープが設けられ、さらにスロープの先に異物返却部が設けられており、紙幣から分離された異物は、このスロープを滑り降りて異物返却口へ導かれる。異物返却口には装置外部から異物を取り出すことができるように、回転自在な扉が設けられている。扉は上部が回転支点となっており、外部から手を挿入すると、挿入した手に押されて扉が奥方へ回転して退避し、内部の異物を取り出すことができる。
【特許文献１】特開平８−１２３９９４号公報
【発明の開示】
【発明が解決しようとする課題】
【０００５】
しかしながら、異物返却口に設けられている扉は、装置外部から容易に退避させることができるので、悪戯される惧れがあった。この異物返却部には異物として硬貨が落ちてくる場合が多い。そのため硬貨を狙って異物返却部の内部に細工をされる惧れがあった。
【課題を解決するための手段】
【０００６】
上記課題を解決するために、本発明は、貨幣投入部に接続され貨幣投入部から投入された異物を返却口から返却可能に保持する異物返却機構において、前記返却口に回動可能に設けられた扉と、前記貨幣投入部と前記返却口との間に回転可能に設けられ、前記扉が開けられた際に前記貨幣投入部と前記返却口との間を塞ぐ仕切部材とを具備したことを特徴とするものである。
【０００７】
上記異物返却機構に、扉の開を検出する検出手段と、該検出手段が扉の開を検出することにより仕切部材を、貨幣投入部と返却口との間を塞ぐ方向に回転させるアクチュエータとを設けるようにするとよい。または、仕切部材を扉の開動作と連動させて貨幣投入部と返却口との間を塞ぐ方向に回転させる連動手段を設けるようにしてもよい。
【発明の効果】
【０００８】
上記構成の本発明によれば、扉が開けられた際に仕切部材が貨幣投入部と返却口との間を塞ぐので、異物返却口の内部に対して悪戯できないようになる。
【発明を実施するための最良の形態】
【０００９】
以下、本発明を実施するための形態を図面に従って説明する。図１は本発明の第１の実施例の異物返却機構を示す側断面図、図２は本発明の各実施例の異物返却機構が適用される自動取引装置を示す斜視図である。まず図２により自動取引装置について簡単に説明する。
【００１０】
図２において、自動取引装置１は顧客の操作により取引を行う装置で、顧客操作部２、紙幣投入部３、硬貨投入部４、カード挿入部５および通帳挿入部６を具備している。また紙幣投入部３の略下方には異物返却部７が設けられている。入金取引の際、紙幣投入部３から紙幣が投入されるが、投入される紙幣の間に硬貨等の異物が紛れ込んでいると、その異物のみが落下して異物返却部７に貯留するようになっている。異物返却部７は顧客が中の異物を取り出すことが可能となっている。
【００１１】
図１において、異物返却部７は異物返却路８と異物貯留部９とを有する。異物返却路８は互いに対向して配置される上搬送ガイド１０と下搬送ガイド１１により傾斜を持たせた状態に形成され、紙幣投入部３から落下する異物を受ける。異物貯留部９は、上ガイド１２と下ガイド１３により形成され、図中右側（異物返却路８の反対側）に返却口１４を形成するように構成されている。下ガイド１３は下方に膨らみを持たせて形成され、ここに異物が溜まるようになっている。
【００１２】
返却口１４には扉１５が設けられている。扉１５は上端部に回転支点１６を有し、回転支点１６を中心に回転自在であるが、図示しないストッパにより返却口１４より外側方向へは回転しない構造となっている。扉１５が閉じた状態（図に示す状態）のときの先端部に対向した位置に、検出センサ１７が設けられている。検出センサ１７は装置１の側板に設けられ、扉１５の先端部を検出する。検出センサ１７には図示しない装置１の制御部が接続され、制御部は検出センサ１７が扉１５の先端部を検出すると扉１５が閉まっていると判断し、検出センサ１７が扉１５の先端部を検出していない場合に扉１５が開いていると判断する。
【００１３】
また下ガイド１３の近傍には仕切部材１８が回転支点１９を中心に回転可能に設けられている。仕切部材１８は金属または硬質のプラスチックにより形成され、モータ２０により回転駆動され、図に示す位置（異物返却路８と異物貯留部９との間が開いている位置で、以下、開放位置という）と異物返却路８と異物貯留部９との間が塞がれている位置（以下、閉塞位置という）との２つの位置のいずれかを取る。モータ２０は上述の装置１の制御部により制御される。
【００１４】
仕切部材１８は下ガイド１３の上部に配置され、回転支点１９は下ガイド１３の外側（下側）に設けられる。下ガイド１３と下搬送ガイド１１との間には切欠き部２１が設けられ、仕切部材１８の上端部１８ａがこの切欠き部２１に斜めに入り込んでいる。この構成にすることにより、仕切部材１８が開放位置にあるとき、紙幣投入部３からの異物が仕切部材１８に引っ掛かることなくスムーズに異物貯留部９まで落下することができる。
【００１５】
仕切部材１８が閉塞位置にあるとき、異物返却路８と異物貯留部９との間が塞がれ、紙幣投入部３から落下してきた異物は仕切部材１８にそれ以上の落下を阻止されるとともに、返却口１４から手や物が挿入されても仕切部材１８により異物返却路８内への進入を阻止することができる。
【００１６】
次に第１の実施例の動作を説明する。図３は第１の実施例の動作を示す側断面図である。自動取引装置１の通常の取引動作時においては、返却口１４に設けられた扉１５は図１に示す閉位置にあり、仕切部材１８は図１に示す開放位置にある。したがって、例えば入金取引において顧客が紙幣投入部３に投入した紙幣の中に異物が紛れ込んでいた場合、その異物は異物返却路８に落下し、さらに仕切部材１８の上を滑り落ちて異物貯留部９に達し、ここに留まる。
【００１７】
顧客が異物の存在に気が付き、異物返却部７の扉１５を押すと、検出センサ１７が扉１５の開を検出し、検出信号を装置１の制御部に送信する。制御部は検出信号を受信すると、モータ２０を駆動し、仕切部材１８を図１における反時計回り方向に回転させる。これにより仕切部材１８は図３に示すように閉塞位置にポジションを取る。
【００１８】
図３に示すように、異物２２が異物貯留部９に存在していれば、この状態で顧客は異物貯留部９から異物２２を取り出すことができる。しかしながらこの状態では、異物返却部７の内部（異物返却路８）に対して悪戯をしようとしても、仕切部材１８が異物返却路８への進入を阻止しているので、悪戯することはできない。
【００１９】
顧客が異物２２を取り出し、異物貯留部９から手を抜き取ると、扉１５は図１に示す閉の位置に戻る。これを検出センサ１７が検出すると、その検出信号が制御部に送られる。これにより制御部はモータ２０を先ほどとは逆方向に回転させ、仕切部材１８を閉塞位置から開放位置に戻す。これにより再び紙幣投入部３内の異物を異物貯留部９まで落下させることができる。
【００２０】
以上のように、扉１５の開閉を検出する検出センサ１７および扉１５の開閉に応じて閉塞位置または開放位置にポジションを取る仕切部材１８を設けたことにより、異物の取り出しを可能とするとともに、扉１５の開時に異物返却部７内に対する悪戯を防止することが可能となる。
【００２１】
次に第２の実施例を説明する。図４は第２の実施例の異物返却機構を示す側断面図である。図４において、第２の実施例の異物返却部３０は、第１の実施例と同様に、異物返却路８と異物貯留部９とを有し、異物貯留部９を形成する下ガイド１３に仕切部材３１が設けられている。
【００２２】
第２の実施例の仕切部材３１は、回転支点３２を中心に開放位置と閉塞位置との間を回転可能になっている。仕切部材３１の先端部には接続部材３３が形成されている。接続部材３３には長孔３４が形成され、長孔３４内には扉３５に設けられたポスト３６が遊嵌している。仕切部材３１と扉３５との係合状態を図５に示す。図５において、仕切部材３１と接続部材３３は一体に形成されており、扉３５のポスト３６は長孔３４内に移動自在に遊嵌可能である。
【００２３】
第２の実施例では、第１の実施例で用いた仕切部材を回転させるためのモータおよび扉の開閉を検出するための検出センサは用いていない。
【００２４】
次に第２の実施例の動作を説明する。図６は第２の実施例の動作を示す側断面図である。自動取引装置１の通常の取引動作時においては、返却口１４に設けられた扉３５は図４に示す閉位置にあり、仕切部材３１は図４に示す開放位置にある。したがって、例えば入金取引において顧客が紙幣投入部３に投入した紙幣の中に異物が紛れ込んでいた場合、その異物は異物返却路８に落下し、さらに仕切部材３１の上を滑り落ちて異物貯留部９に達し、ここに留まる。
【００２５】
顧客が異物の存在に気が付き、異物返却部７の扉３５を手で押すと、扉３５は回転支点３７を中心に図４における時計回り方向に回転する。このときポスト３６が接続部材３３の長孔３４中を左方向に摺動し、接続部材３３を持ち上げる。これにより接続部材３３、即ち仕切部材３１は回転支点３２を中心に反時計回り方向に回転する。扉３５が全開の状態まで回転すると、仕切部材３１は図６に示すように閉塞位置にポジションを取る。
【００２６】
図６に示すように、異物２２が異物貯留部９に存在していれば、この状態で顧客は異物貯留部９から異物２２を取り出すことができる。しかしながらこの状態では、異物返却部７の内部（異物返却路８）に対して悪戯をしようとしても、仕切部材３１が異物返却路８への進入を阻止しているので、悪戯することはできない。
【００２７】
顧客が異物２２を取り出し、異物貯留部９から手を抜き取ると、扉３５は図４に示す閉の位置に戻る。扉３５が閉の位置に戻ることにより、接続部材３３および仕切部材３１が時計回り方向に回転し、閉塞位置から開放位置に戻る。これにより再び紙幣投入部３内の異物を異物貯留部９まで落下させることが可能となる。
【００２８】
以上のように第２の実施例では、扉３５を開けると、それに連動して仕切部材３１が閉塞位置の方向へ回転するようにしたので、第１の実施例と同様の効果を奏すると共に、アクチュエータとしてのモータや検出センサを用いる必要も無いという効果もある。
【００２９】
次に第３の実施例について説明する。図７は第３の実施例の異物返却機構を示す側断面図である。図７において、第３の実施例の異物返却部４０は、第１の実施例と同様に、異物返却路８と異物貯留部９とを有し、異物貯留部９を形成する下ガイド１３に仕切部材４１が設けられている。
【００３０】
第３の実施例の仕切部材４１は、回転支点４２を中心に開放位置と閉塞位置との間を回転可能になっている。仕切部材４１の先端部には被押上げ部４３が形成されている。返却口１４には回転支点４７を中心に回転自在な扉４５が設けられており、扉４５の下端部には、仕切部材４１側に突出した突起部４６が設けられている。扉４５が閉じている状態では、突起部４６の先端側は仕切部材４１の被押上げ部４３の下側に位置している。
【００３１】
第３の実施例においても、第１の実施例で用いた仕切部材を回転させるためのモータおよび扉の開閉を検出するための検出センサは用いていない。
【００３２】
次に第３の実施例の動作を説明する。図８は第３の実施例の動作を示す側断面図である。自動取引装置１の通常の取引動作時においては、返却口１４に設けられた扉４５は図７に示す閉位置にあり、仕切部材４１は図７に示す開放位置にある。したがって、例えば入金取引において顧客が紙幣投入部３に投入した紙幣の中に異物が紛れ込んでいた場合、その異物は異物返却路８に落下し、さらに仕切部材４１の上を滑り落ちて異物貯留部９に達し、ここに留まる。
【００３３】
顧客が異物の存在に気が付き、異物返却部７の扉４５を手で押すと、扉４５は回転支点４７を中心に図８における時計回り方向に回転する。このとき扉４５の突起部４６が仕切部材４１の被押上げ部４３を下側から持ち上げる。これにより仕切部材４１は回転支点４２を中心に反時計回り方向に回転する。扉４５が全開の状態まで回転すると、仕切部材４１は図８に示すように閉塞位置にポジションを取る。
【００３４】
図８に示すように、異物２２が異物貯留部９に存在していれば、この状態で顧客は異物貯留部９から異物２２を取り出すことができる。しかしながらこの状態では、異物返却部７の内部（異物返却路８）に対して悪戯をしようとしても、仕切部材４１が異物返却路８への進入を阻止しているので、悪戯することはできない。
【００３５】
顧客が異物２２を取り出し、異物貯留部９から手を抜き取ると、扉４５は図７に示す閉の位置に戻る。扉４５が閉の位置に戻ることにより、仕切部材４１が時計回り方向に回転し、閉塞位置から開放位置に戻る。これにより再び紙幣投入部３内の異物を異物貯留部９まで落下させることが可能となる。
【００３６】
以上のように第３の実施例によれば、第２の実施例と同様の効果を奏することができ、さらに第２の実施例に比して簡単な構造で上記効果を奏することができる。
【００３７】
上記各実施の形態においては、貨幣投入部として紙幣投入部を例にして説明したが、硬貨投入部にも異物が混入する場合もあり、硬貨投入部に関して本発明を適用するようにしても良い。また装置として上記各実施の形態では自動取引装置を例に説明したが、例えば、自動販売機や券売機を始め、有価証券や宝くじの換金機などにも本発明は適用可能である。
【図面の簡単な説明】
【００３８】
【図１】第１の実施例の異物返却機構を示す側断面図である。
【図２】本発明の各実施例の異物返却機構が適用される自動取引装置を示す斜視図である。
【図３】第１の実施例の動作を示す側断面図である。
【図４】第２の実施例の異物返却機構を示す側断面図である。
【図５】仕切部材と扉の係合状態を示す斜視図である。
【図６】第２の実施例の動作を示す側断面図である。
【図７】第３の実施例の異物返却機構を示す側断面図である。
【図８】第３の実施例の動作を示す側断面図である。
【符号の説明】
【００３９】
１    自動取引装置
３    紙幣投入部
７、３０、４０  異物返却部
８    異物返却路
９    異物貯留部
１５、３５、４５  扉
１７  検出センサ
１８、３１、４１  仕切部材
２０  モータ
２２  異物
３３  接続部材
３４  長孔
３６  ポスト
４３  被押上げ部
４６  突起部
【図１】
2007206767.tif 000003
【図２】
2007206767.tif 000004
【図３】
2007206767.tif 000005
【図４】
2007206767.tif 000006
【図５】
2007206767.tif 000007
【図６】
2007206767.tif 000008
【図７】
2007206767.tif 000009
【図８】
2007206767.tif 000010